【手続補正書】
【提出日】平成28年6月20日(2016.6.20)
【手続補正１】
【補正対象書類名】特許請求の範囲
【補正対象項目名】全文
【補正方法】変更
【補正の内容】
【特許請求の範囲】
【請求項１】
入力信号をフィルタリングし、かつ、第１の周波数範囲の前記入力信号の一部である第１の出力信号を出力する第１のフィルター回路と、
前記第１のフィルター回路に結合された第２のフィルター回路であって、前記入力信号をフィルタリングし、かつ、前記第１の周波数範囲とは異なる第２の周波数範囲の前記入力信号の一部である第２の出力信号を出力し、前記第１の周波数範囲の前記入力信号の前記一部を受信するために使用されるデバイスに提供される信号を挿入するためのインターフェース回路を含む、前記第２のフィルター回路と、
を備える、装置。
【請求項２】
前記第１の周波数範囲は前記第２の周波数範囲より高い、請求項１に記載の装置。
【請求項３】
前記第１の周波数範囲は９５０メガヘルツから２，１５０メガヘルツであり、前記第２の周波数範囲は１７０メガヘルツから８００メガヘルツである、請求項２に記載の装置。
【請求項４】
前記第２のフィルター回路は、前記入力信号をフィルタリングするための高域通過フィルターおよび低域通過フィルターをさらに含む、請求項１に記載の装置。
【請求項５】
前記高域通過フィルターの第１の部分は、前記低域通過フィルターの入力に結合され、前記高域通過フィルターの残りの部分は、前記低域通過フィルターの出力に結合される、請求項４に記載の装置。
【請求項６】
前記インターフェース回路は、前記高域通過フィルターの前記第１の部分の一部として含まれる、請求項５に記載の装置。
【請求項７】
前記インターフェース回路は、電力、通信信号および制御信号のうちの少なくとも１つを、前記第１の周波数範囲の前記入力信号の前記一部を受信するために使用される前記デバイスに供給するために使用される、請求項１に記載の装置。
【請求項８】
前記インターフェース回路は、サージ保護デバイスおよび静電放電保護デバイスのうちの少なくとも１つを接続するためにさらに使用される、請求項１に記載の装置。
【請求項９】
前記第１の周波数範囲の前記入力信号の前記一部を受信するために使用される前記デバイスは、前記装置の外部に存在する、請求項１に記載の装置。
【請求項１０】
前記第１の周波数範囲の前記入力信号の前記一部は、衛星信号サービスプロバイダから受け取られるメディアプログラムコンテンツを含み、前記第２の周波数範囲の前記入力信号の前記一部は、地上波信号サービスプロバイダおよびケーブル信号サービスプロバイダのうちの少なくとも１つから受信されるメディアプログラムコンテンツを含む、請求項１に記載の装置。
【請求項１１】
前記第１のフィルター回路および前記第２のフィルター回路のうちの少なくとも１つは、ＭｏＣＡネットワーク内で使用される信号もフィルタリングする、請求項１に記載の装置。
【請求項１２】
第１の周波数範囲の第１のソースからのコンテンツ、および前記第１の周波数範囲とは異なる第２の周波数範囲の第２のソースからのコンテンツを含んだ信号を受信するステップと、
受信した前記信号のために、第１の処理回路機構を使用してフィルタリングを提供し、前記第１のソースからの前記コンテンツを含んだ第１の出力信号を生成するステップと、
前記受信した信号のために、前記第１の処理回路機構に結合された第２の処理回路機構を使用してフィルタリングを提供し、前記第２のソースからの前記コンテンツを含んだ第２の出力信号を生成するステップと、
前記第２の処理回路機構に信号を印加するステップであって、印加された前記信号は、前記第１のソースから前記コンテンツを受信するために使用される、前記印加するステップと、
を含む、方法。
【請求項１３】
前記第１の周波数範囲は前記第２の周波数範囲より高い、請求項１２に記載の方法。
【請求項１４】
前記第１の周波数範囲は９５０メガヘルツから２，１５０メガヘルツであり、前記第２の周波数範囲は１７０メガヘルツから８００メガヘルツである、請求項１３に記載の方法。
【請求項１５】
前記第２の処理回路機構は、入力信号をフィルタリングするための高域通過フィルターおよび低域通過フィルターをさらに含む、請求項１２に記載の方法。
【請求項１６】
前記高域通過フィルターの第１の部分は、前記低域通過フィルターの入力に結合され、前記高域通過フィルターの残りの部分は、前記低域通過フィルターの出力に結合される、請求項１５に記載の方法。
【請求項１７】
前記信号は、前記高域通過フィルターの前記第１の部分に印加される、請求項１６に記載の方法。
【請求項１８】
前記信号は、前記第１のソースからコンテンツを受信するために使用されるデバイスへの電力、通信信号および制御信号のうちの少なくとも１つである、請求項１２に記載の方法。
【請求項１９】
前記信号は、前記第１の処理回路機構および前記第２の処理回路機構を含んだデバイスの外部に存在する回路機構と共に使用するために印加される、請求項１２に記載の方法。
【請求項２０】
前記第１のソースは衛星信号サービスプロバイダであり、前記第２のソースは、地上波信号サービスプロバイダおよびケーブル信号サービスプロバイダのうちの少なくとも１つである、請求項１２に記載の方法。
【請求項２１】
前記第１の処理回路機構および前記第２の処理回路機構のうちの少なくとも１つは、ＭｏＣＡネットワーク内で使用される信号もフィルタリングする、請求項１２に記載の方法。
【請求項２２】
第１の周波数範囲の第１のソースからのコンテンツ、および前記第１の周波数範囲とは異なる第２の周波数範囲の第２のソースからのコンテンツを含んだ信号を受信するための手段と、
前記受信信号のためのフィルタリングを提供し、前記第１のソースからの前記コンテンツを含んだ第１の出力信号を生成するための手段と、
前記受信信号のためのフィルタリングを提供し、前記第２のソースからの前記コンテンツを含んだ第２の出力信号を生成するための手段と、
信号を前記第２の出力信号を生成するための手段に印加するための手段であって、印加された前記信号は、前記第１のソースからの前記コンテンツを受信するために使用される、前記印加するための手段と、
を備える、装置。
【手続補正２】
【補正対象書類名】明細書
【補正対象項目名】００３８
【補正方法】変更
【補正の内容】
【００３８】
また、コントローラー１１６は、ＯＤＵ制御１３２を制御する。ＯＤＵ制御１３２は、信号伝達を提供し、かつ、フィルター１０３を介して電源電力をＯＤＵ１０１に戻す。ＯＤＵ制御１３２は、ＯＤＵ１０１とセットトップボックス１０２の間に敷かれた同軸ケーブル上にこれらの信号および電力を提供する。一実施形態では、ＯＤＵ制御１３２は、コントローラー１１６から入力制御信号を受信し、かつ、異なる直流（ＤＣ：Ｄｉｒｅｃｔ  Ｃｕｒｒｅｎｔ）電圧レベルをＯＤＵ１０１の特定の部分に提供し、それにより、一組のプログラムまたはコンテンツを含んだ特定の信号ストリームをフィルター１０３に提供し、また、さらにチューナ１０５およびチューナ１１０に提供する。他の実施形態では、ＯＤＵ制御１３２は、コントローラー１１６から、また、リンク回路１０６およびリンク回路１１２から入力を受け取り、かつ、低周波搬送波ベース周波数偏移変調を使用して、ＤＣ電圧レベルおよび個別の同調制御信号をＯＤＵ１０１に提供する。また、コントローラー１１６は、ＤＣ電圧もしくは制御信号のいずれか、または両方をＯＤＵ１０１に提供することにより、ＯＤＵコントローラー１３２をディセーブルするための制御コマンドを送ることも可能である。
【手続補正３】
【補正対象書類名】明細書
【補正対象項目名】００４３
【補正方法】変更
【補正の内容】
【００４３】
既に説明したように、衛星信号を受信するＯＤＵ１０１などの屋外アンテナ要素は、１５ワット程度の電力を必要とする低雑音阻止変換器（ＬＮＢ）などの回路を含む。また、これらの回路は、コントローラー１１６によって生成され、かつ、ＯＤＵ１０１およびフィルター１０３を介して提供される低周波制御信号を使用することも可能である。制御信号は、偏波などの動作パラメータを選択し、またはパラボラ反射器からの異なるフィードを選択するために使用することができる。電力および制御信号はまた、通常、周波数変換された衛星信号を提供する同軸ケーブルの中心導体上に多重化される。電力を供給するために使用される構成要素は、ＯＤＵ１０１に電力を供給するのに必要な電流を流すことができなければならない。さらに、構成要素は、静電放電（ＥＳＤ：Ｅｌｅｃｔｒｏｓｔａｔｉｃ  Ｄｉｓｃｈａｒｇｅ）、ならびに近傍の落雷によるより高いエネルギーサージ（サージ）にさらされることになる。これらの条件には、フィルター１０３に使用される回路機構を始めとする回路機構、ＥＳＤのための保護デバイスの提供、ならびに大電流能力が必要である。
【手続補正４】
【補正対象書類名】明細書
【補正対象項目名】００４９
【補正方法】変更
【補正の内容】
【００４９】
図３を参照すると、本開示の態様による、ダイプレックスフィルターに使用される高域通過フィルター３００のための例示的実施形態の回路図が示されている。高域通過フィルター３００は、ダイプレックスフィルター（例えば図２で説明したダイプレクサ２００に使用される高域通過フィルター２１０または図１で説明したフィルター１０３）に使用される、衛星信号をフィルタリングするための高域通過フィルターセクションと同様の方法で動作させることができる。
【手続補正５】
【補正対象書類名】明細書
【補正対象項目名】００５４
【補正方法】変更
【補正の内容】
【００５４】
図４を参照すると、本開示の態様による、ダイプレックスフィルターに使用される高域通過フィルター４００のための例示的実施形態の回路図が示されている。高域通過フィルター４００は、ダイプレックスフィルター（例えば図２で説明したダイプレクサ２００に使用される高域通過フィルター２２０または図１で説明したフィルター１０３）に使用される、地上波およびケーブル放送信号をフィルタリングするためのフィルターセクションに含めることができる。
【手続補正６】
【補正対象書類名】明細書
【補正対象項目名】００６０
【補正方法】変更
【補正の内容】
【００６０】
図５を参照すると、本開示の態様による、ダイプレックスフィルターに使用される低域通過フィルター５００のための例示的実施形態の回路図が示されている。低域通過フィルター５００を、ダイプレックスフィルター（例えば図２で説明したダイプレクサ２００に使用される低域通過フィルター２３０または図１で説明したフィルター１０３）に使用される、地上波およびケーブル放送信号をフィルタリングするためのフィルターセクションに含めることができる。
【手続補正７】
【補正対象書類名】明細書
【補正対象項目名】００７３
【補正方法】変更
【補正の内容】
【００７３】
ダイプレクサ７００では、入力は、要素７０２の一方の端部に提供される。要素７０２のもう一方の端部は、要素７０４の一方の端部にさらに接続する。要素７０４のもう一方の端部は接地される。また、入力は、要素７１０の一方の端部にも提供される。要素７１０のもう一方の端部は、要素７１２および要素７１４の両方の一方の端部に接続される。要素７１２のもう一方の端部は接地される。要素７１４のもう一方の端部は、要素７１６および要素７１８の両方の一方の端部に接続する。要素７１６のもう一方の端部は接地される。要素７１８のもう一方の端部は、要素７２０の一方の端部に接続し、かつ、並列に構成された要素７２２および７２４の一方の端部にも接続する。要素７２０のもう一方の端部は接地される。要素７２２および７２４のもう一方の端部は、要素７２６の一方の端部に接続し、かつ、並列に構成された要素７２８および７３０の一方の端部にも接続する。要素７２６のもう一方の端部は接地される。要素７２８および７３０のもう一方の端部は、要素７３２および要素７３４の両方の一方の端部にさらに接続する。要素７３２のもう一方の端部は接地される。要素７３４のもう一方の端部は、要素７３６および要素７３８の両方の一方の端部に接続する。要素７３６のもう一方の端部は接地される。要素７３８のもう一方の端部は、要素７４０および要素７４４の両方の一方の端部に接続する。要素７４０のもう一方の端部は、要素７４２の一方の端部に接続する。要素７４２のもう一方の端部は接地される。要素７４４のもう一方の端部は、要素７４６および要素７５０の両方の一方の端部に接続する。要素７４６のもう一方の端部は、要素７４８の一方の端部に接続する。要素７４８のもう一方の端部は接地される。要素７５０のもう一方の端部は、要素７５２および要素７５６の両方の一方の端部に接続する。要素７５２のもう一方の端部は、要素７５４の一方の端部に接続する。要素７５４のもう一方の端部は接地される。要素７５６のもう一方の端部は、要素７５８の一方の端部に接続する。要素７５８のもう一方の端部は、要素７６０の一方の端部に接続する。要素７６０のもう一方の端部は、要素７６２の一方の端部に接続する。要素７６２のもう一方の端部は、要素７６４の一方の端部に接続する。要素７６４のもう一方の端部は、追加地上波テレビジョン受信回路と共に使用するための出力を提供する。また、要素７０２と要素７０４の間の接続は、外部デバイスによる使用のための電力および／または通信あるいは制御信号を接続するためのインターフェースとして同じく働く。
【手続補正８】
【補正対象書類名】明細書
【補正対象項目名】００７４
【補正方法】変更
【補正の内容】
【００７４】
また、受信する信号は、要素７７０の一方の端部にも同じく提供される。要素７７０のもう一方の端部は、要素７７２および要素７７６の両方の一方の端部にさらに接続する。要素７７２のもう一方の端部は、要素７７４の一方の端部にさらに接続する。要素７７４のもう一方の端部は接地される。要素７７６のもう一方の端部は、要素７７８および要素７８２の両方の一方の端部に接続する。要素７７８のもう一方の端部は、要素７８０の一方の端部にさらに接続する。要素７８０のもう一方の端部は接地される。要素７８２のもう一方の端部は、要素７８４および要素７８８の両方の一方の端部に接続する。要素７８４のもう一方の端部は、要素７８６の一方の端部にさらに接続する。要素７８６のもう一方の端部は接地される。要素７８８のもう一方の端部は、並列に構成された要素７９０および要素７９４の一方の端部、ならびに要素７９６の一方の端部に接続する。要素７９０のもう一方の端部は、要素７９２の一方の端部にさらに接続する。要素７９２のもう一方の端部ならびに要素７９４のもう一方の端部は接地される。要素７９６のもう一方の端部は、追加衛星放送受信回路と共に使用するための出力を提供する。
【手続補正９】
【補正対象書類名】明細書
【補正対象項目名】００８６
【補正方法】変更
【補正の内容】
【００８６】
本開示の技法を組み込んだ実施形態について、本明細書において詳細に示し、かつ、説明したが、当業者は、依然としてこれらの技法を組み込んだ多くの他の様々な実施形態を容易に工夫することができる。以上、フィルター回路に信号を供給するための方法および装置の好ましい実施形態について説明したが（これらには実例によって説明することが意図されており、制限するものではない）、当業者は、上記方法に鑑みて修正および変更を加えることができることに留意されたい。したがって、開示された開示の特定の実施形態に変更を加えることができ、これらは、添付の特許請求の範囲で略述されている開示の範囲内であることを理解されたい。
［付記１］
入力信号をフィルタリングし、かつ、第１の周波数範囲の前記入力信号の一部である第１の出力信号を出力する第１のフィルター回路（２１０）と、
前記第１のフィルター回路（２１０）に結合された第２のフィルター回路（２２０、２３０）であって、前記入力信号をフィルタリングし、かつ、前記第１の周波数範囲とは異なる第２の周波数範囲の前記入力信号の一部である第２の出力信号を出力し、前記第１の周波数範囲の前記入力信号の前記一部を受信するために使用されるデバイスに提供される信号を挿入するためのインターフェース回路を含む、第２のフィルター回路（２２０、２３０）と、
を備える、装置（２００）。
［付記２］
前記第１の周波数範囲は前記第２の周波数範囲より高い、付記１に記載の装置（２００）。
［付記３］
前記第１の周波数範囲は９５０メガヘルツから２，１５０メガヘルツであり、前記第２の周波数範囲は１７０メガヘルツから８００メガヘルツである、付記２に記載の装置（２００）。
［付記４］
前記第２のフィルター回路（２２０、２３０）は、前記入力信号をフィルタリングするための高域通過フィルターおよび低域通過フィルターをさらに含む、付記１に記載の装置（２００）。
［付記５］
前記高域通過フィルターの第１の部分は、前記低域通過フィルターの入力に結合され、前記高域通過フィルターの残りの部分は、前記低域通過フィルターの出力に結合される、付記４に記載の装置（２００）。
［付記６］
前記インターフェース回路は、前記高域通過フィルターの前記第１の部分の一部として含まれる、付記５に記載の装置（２００）。
［付記７］
前記インターフェース回路は、電力、通信信号および制御信号のうちの少なくとも１つを、前記第１の周波数範囲の前記入力信号の前記一部を受信するために使用される前記デバイスに供給するために使用される、付記１に記載の装置（２００）。
［付記８］
前記インターフェース回路は、サージ保護デバイスおよび静電放電保護デバイスのうちの少なくとも１つを接続するためにさらに使用される、付記１に記載の装置（２００）。
［付記９］
前記第１の周波数範囲の前記入力信号の前記一部を受信するために使用される前記デバイスは、前記装置（２００）の外部に存在する、付記１に記載の装置（２００）。
［付記１０］
前記第１の周波数範囲の前記入力信号の前記一部は、衛星信号サービスプロバイダから受け取られるメディアプログラムコンテンツを含み、前記第２の周波数範囲の前記入力信号の前記一部は、地上波信号サービスプロバイダおよびケーブル信号サービスプロバイダのうちの少なくとも１つから受信されるメディアプログラムコンテンツを含む、付記１に記載の装置（２００）。
［付記１１］
前記第１のフィルター回路（２１０）および前記第２のフィルター回路（２２０、２３０）のうちの少なくとも１つは、Ｍｕｌｔｉｍｅｄｉａ  ｏｖｅｒ  Ｃａｂｌｅ  Ａｌｌｉａｎｃｅネットワーク内で使用される信号をフィルタリングする、付記１に記載の装置（２００）。
［付記１２］
第１の周波数範囲の第１のソースからのコンテンツ、および前記第１の周波数範囲とは異なる第２の周波数範囲の第２のソースからのコンテンツを含んだ信号を受信すること（８１０）と、
受信する前記信号のための第１の処理回路機構を使用してフィルタリングを提供し、それにより前記第１のソースからの前記コンテンツを含んだ第１の出力信号を生成すること（８２０）と、
前記第１の処理回路機構に結合された、前記受信する信号のための第２の処理回路機構を使用してフィルタリングを提供し、前記第２のソースからの前記コンテンツを含んだ第２の出力信号を生成すること（８３０）と、
前記第２の処理回路機構に信号を供給すること（８６０）であって、提供される前記信号は、前記第１のソースから前記コンテンツを受信するために使用されることと、
を含む、方法（８００）。
［付記１３］
前記第１の周波数範囲は前記第２の周波数範囲より高い、付記１２に記載の方法（８００）。
［付記１４］
前記第１の周波数範囲は９５０メガヘルツから２，１５０メガヘルツであり、前記第２の周波数範囲は１７０メガヘルツから８００メガヘルツである、付記１３に記載の方法（８００）。
［付記１５］
前記第２の処理回路機構は、入力信号をフィルタリングするための高域通過フィルターおよび低域通過フィルターをさらに含む、付記１２に記載の方法（８００）。
［付記１６］
前記高域通過フィルターの第１の部分は、前記低域通過フィルターの入力に結合され、前記高域通過フィルターの残りの部分は、前記低域通過フィルターの出力に結合される、付記１５に記載の方法（８００）。
［付記１７］
前記信号は、前記高域通過フィルターの前記第１の部分に供給される、付記１６に記載の方法（８００）。
［付記１８］
前記信号は、前記第１のソースからコンテンツを受信するために使用されるデバイスへの電力、通信信号および制御信号のうちの少なくとも１つである、付記１２に記載の方法（８００）。
［付記１９］
前記信号は、前記第１の処理回路機構および前記第２の処理回路機構を含んだデバイスの外部に存在する回路機構と共に使用するために供給される、付記１２に記載の方法（８００）。
［付記２０］
前記第１のソースは衛星信号サービスプロバイダであり、前記第２のソースは、地上波信号サービスプロバイダおよびケーブル信号サービスプロバイダのうちの少なくとも１つである、付記１２に記載の方法（８００）。
［付記２１］
前記第１の処理回路機構および前記第２の処理回路機構のうちの少なくとも１つは、Ｍｕｌｔｉｍｅｄｉａ  ｏｖｅｒ  Ｃａｂｌｅ  Ａｌｌｉａｎｃｅネットワーク内で使用される信号をフィルタリングする、付記１２に記載の方法（８００）。
［付記２２］
第１の周波数範囲の第１のソースからのコンテンツ、および前記第１の周波数範囲とは異なる第２の周波数範囲の第２のソースからのコンテンツを含んだ信号を受信するための手段（１０１）と、
前記受信信号のためのフィルタリングを提供し、前記第１のソースからの前記コンテンツを含んだ第１の出力信号を生成するための手段（１０３）と、
前記受信信号のためのフィルタリングを提供し、前記第２のソースからの前記コンテンツを含んだ第２の出力信号を生成するための手段（１０３）と、
信号を前記第２の処理回路機構に供給するための手段（１３２）であって、前記信号は、前記第１のソースからの前記コンテンツを受信するために使用される、手段と、
を備える、装置（１００）。
【手続補正１０】
【補正対象書類名】図面
【補正対象項目名】図４
【補正方法】変更
【補正の内容】
【図４】
2015528232.tif 000001